(57)【要約】      （修正有）【課題】キャディバッグの口枠周辺に設けられる把手の左右への張り出しを低減するとともに、バッグ本体内部のカビや悪臭の発生を抑制する。【解決手段】本発明のキャディバッグは、有底円筒状のバッグ本体の開口部に口枠３が設けられ、口枠３は、環状の枠部３１と、枠部３１に設けられる上側把手３２とを備え、枠部３２は、バッグ本体の内外を連絡してバッグ本体内の換気を行う上側通気部３３を有し、上側通気部３３は、上側把手３２を握る際に指が枠部３１に当たることを防止する指入れ部を兼ねている。【選択図】図２
2013123571.tif 000002
【特許請求の範囲】
【請求項１】
有底円筒状のバッグ本体の開口部に口枠が設けられたキャディバッグであって、
前記口枠は、環状の枠部と、該枠部に設けられる上側把手とを備え、
前記枠部は、バッグ本体の内外を連絡してバッグ本体内の換気を行う上側通気部を有し、
前記上側通気部は、前記上側把手を握る際に指が枠部に当たることを防止する指入れ部を兼ねていることを特徴とするキャディバッグ。
【請求項２】
前記バッグ本体の底部にボトムが設けられ、
前記ボトムは、側壁と、該側壁に設けられる下側把手とを備え、
前記側壁は、バッグ本体の内外を連絡してバッグ本体内の換気を行う下側通気部を有し、
前記下側通気部は、前記下側把手を握る際に指が側壁に当たることを防止する指入れ部を兼ねている請求項１に記載のキャディバッグ。
【発明の詳細な説明】
【技術分野】
【０００１】
この発明は、ゴルフ用キャディバッグに関する。
【背景技術】
【０００２】
従来、キャディバッグをカートから下ろす場合や、地面に置かれたキャディバッグを少し横へ移動させる場合などに用いるため、キャディバッグのバッグ本体の開口部近傍に、把手を設けることが提案されている（例えば、特許文献１参照）。
【先行技術文献】
【特許文献】
【０００３】
【特許文献１】実開平４−３７４６８号公報
【発明の概要】
【発明が解決しようとする課題】
【０００４】
しかし、特許文献１の把手は、左右に張出して嵩張るために、例えばカートの荷台にキャディバッグを４つ並べる場合等には、把手が隣のキャディバッグにぶつかって邪魔になるという不具合が有る。
一方、キャディバッグには、バッグ本体内部にこもった湿気がカビの原因になったり、ゴルフクラブのグリップに付着した汗や汚れが悪臭の原因になったりするという問題もある。
【０００５】
本発明は、上記課題に鑑みてなされたものであり、キャディバッグの口枠周辺に設けられる把手の左右への張り出しを低減するとともに、バッグ本体内部のカビや悪臭の発生を抑制するキャディバッグの提供を目的とする。
【課題を解決するための手段】
【０００６】
上記課題を解決するためになされた発明は、有底円筒状のバッグ本体の開口部に口枠が設けられたキャディバッグであって、前記口枠は、環状の枠部と、該枠部に設けられる上側把手とを備え、前記枠部は、バッグ本体の内外を連絡してバッグ本体内の換気を行う上側通気部を有し、前記上側通気部は、前記上側把手を握る際に指が枠部に当たることを防止する指入れ部を兼ねていることを特徴とする。
【０００７】
本発明のキャディバッグでは、枠部に上側通気部が設けられていることで、バッグ本体内部の換気を行うことができる。また、本発明のキャディバッグは、上側通気部がバッグ本体の上側把手を握る際に指が枠部に当たることを防止する指入れ部を兼ねていることで、上側把手が枠部の外周面から張出す高さを抑制することができる。
【０００８】
本発明のキャディバッグは、前記バッグ本体の底部にボトムが設けられ、前記ボトムは、側壁と、該側壁に設けられる下側把手とを備え、前記側壁は、バッグ本体の内外を連絡してバッグ本体内の換気を行う下側通気部を有し、前記下側通気部は、前記下側把手を握る際に指が側壁に当たることを防止する指入れ部を兼ねていることが好ましい。
このように、ボトムにも上記の口枠に設けるのと同様の下側把手及び下側通気部を設けることにより、例えば、車のトランクに横倒しにして入れたキャディバッグを取り出す場合等、両手で上下の把手を持つことでキャディバッグを取り出し易くすることができる。
また、上下に通気部を設けることで、バッグ本体内部の空気の入れ換えを、より効果的に行うことができる。
【発明の効果】
【０００９】
本発明のキャディバッグによれば、バッグ本体内部の空気を入れ換えてバッグ本体内部のカビや悪臭の発生を抑制することができ、キャディバッグの移動を行いやすくするための口枠周辺の把手が左右に張出すことを抑制できる。
【図面の簡単な説明】
【００１０】
【図１】本発明の第１実施形態のキャディバッグの右側面図であり、（ａ）は、フードを取り外した状態を、（ｂ）は、フードを閉じた状態を示す。
【図２】図１に示したキャディバッグの口枠の（ａ）右側面図、及び（ｂ）平面図である。
【図３】図１に示したキャディバッグのボトムの（ａ）右側面図、及び（ｂ）底面図である。
【図４】本発明の第２実施形態に係るキャディバッグ本体の右側面図であり、（ａ）は、フードを取り外した状態を、（ｂ）は、フードを閉じた状態を示す。
【図５】図４に示したキャディバッグの口枠の右側面図である。
【図６】本発明の第３実施形態のキャディバッグの右側面図であり、（ａ）は、フードを取り外した状態を、（ｂ）は、フードを閉じた状態を示す。
【図７】図６に示したキャディバッグの口枠の（ａ）右側面図、及び（ｂ）平面図である。
【発明を実施するための形態】
【００１１】
以下、本発明のキャディバッグの実施形態について詳述する。ただし、本発明のキャディバッグは以下の実施形態に限られるものではない。
【００１２】
（第１実施形態）
図１は、本発明の第１実施形態に係るキャディバッグ１である。キャディバッグ１は、有底円筒状のバッグ本体２を主に備える他、フード１０を備えている。
【００１３】
バッグ本体２は、図１（ａ）に示すように、口枠３及びボトム４を主に備える他、口枠３の外周を覆う口枠被覆帯５と、ボトム４の外周を覆うボトム被覆帯６と、口枠被覆帯５及びボトム被覆帯６に上下端を縫合されバッグ本体２の略全体を覆う本体カバー７と、円筒部カバー７の内側に設けられ口枠３とボトム４の間の部分の保形を行う円筒状フレーム（図示せず）とを備えている。バッグ本体２の前面（図１では、左側）上部には、縦に延びるハンガーグリップ８が設けられ、その下部には、フロントポケット９が設けられている。
【００１４】
口枠３は、樹脂により一体成型され、図２に示すように、扁平で略円筒状の枠部３１と、枠部３１の左右（図２（ｂ）の上下）の側面に枠部３１の外周に沿って延びる一対の棒状の上側把手３２，３２とを備えている。
【００１５】
枠部３１には、図２（ａ）に示すように、枠部３１の下端面から上側把手３２，３２の背面まで切れ込む略台形状の上側通気部３３が設けられている。棒状把手３２の両端部３２ａ，３２ａは、枠部３１の周方向において上側通気部３３の外側で枠部３１に固定され、上側把手３２は、上側通気部３３を枠部３１の周方向に跨ぐように設けられている。これにより、上側通気部３３は、棒状把手３３を握る際に指が枠部３１に当たらないようにするための指入れ部を兼ねるよう構成されており、上側把手３２，３２が左右に張出すことを抑制している。
また、枠部３１の内側には、図２（ｂ）に示すように、ゴルフクラブの収納スペースを複数に仕切るための仕切り部材３４が設けられている。
【００１６】
ボトム４は、樹脂により一体成型され、図３に示すように扁平の有底円筒形を有し、側壁４１と、側壁４１の左右（図３（ｂ）の上下）の側面に側壁４１の外周に沿って延びる一対の下側把手４２，４２とを主に備える他、底板４３と脚部４４とを備えている。
【００１７】
側壁４１の、下側把手４２，４２の背面側の部分には、図３（ａ）に示すように、横長の貫通孔からなる下側通気部４５が設けられている。下側把手４２は、両端部４２ａ，４２ａが下側通気部４５の長手方向両端の外側に固定され、下側貫通孔を長手方向に跨ぐように設けられている。これにより、下側通気部４５が、棒状把手４２を握る際に、指が側壁４１に当たらないようにするための指入れ部を兼ねるよう構成され、下側把手４２，４２が左右に張出すことを抑制している。
【００１８】
口枠被覆帯５は、左右一対の長楕円形状の貫通孔５ａ，５ａを備えており、図１に示すように、貫通孔５ａに上側把手３２を通すようにして、口枠３の枠部３１の外周面を被覆している。同様に、ボトム被覆帯６は、左右一対の長楕円形状の貫通孔６ａ，６ａを備えており、図１に示すように、貫通孔６ａに下側把手４２を通すようにして、ボトム４の側壁４１の外周面を被覆している。
【００１９】
フード１０は、図１（ｂ）に示すように、バッグ本体２に蓋をした状態において、左右両側の下端に、一対の切れ込み部１０ａ，１０ａを有しており、上側把手３２，３２及び上側通気部３３，３３を覆わないように構成されている。これにより、フード１０を閉じた状態でも、上側把手３２，３２を握ることができるとともに、上側通気部３３を通してバッグ本体２内部の換気を行うことができる。
【００２０】
上述したように、本発明のキャディバッグ１は、枠部３の口枠３１に設けられた上側通気部３３を指入れ部とするように上側把手３２が設けられ、ボトム４の側壁４１に設けられた下側通気部４５を指入れ部とするように下側把手４２が設けられているため、上側把手３２及び下側把手４２が左右に張出すことを効果的に抑制できる。
【００２１】
また、キャディバッグ１は、上下に上側通気部３３と下側通気部４５を備えることにより、上側通気部３３から流入した空気を下側通気部４５から排出したり、下側通気部４５から流入した空気を上側通気部３３から排出したりできるため、バッグ本体内部の換気をより効率的に行うことができる。
【００２２】
さらに、キャディバッグ１は、上側把手３２と下側把手４２とを備えることにより、車のトランク内で横倒しにされた状態であっても、両手で上側把手３２と下側把手４２とを握ることにより、容易にトランクから取り出すことができる。
【００２３】
（第２実施形態）
次に、図４に示した、本発明の第２実施形態に係るキャディバッグ１０１について詳述する。キャディバッグ１０１は、主にバッグ本体１０２を備える他、フード１１０を備えている。
尚、第２実施形態の説明おいて、第１実施形態と共通する部材については、共通する符号を付して説明を省略する。
【００２４】
バッグ本体１０２は、図４（ａ）に示すように、口枠１０３、ボトム４、口枠被覆帯１０５及びボトム被覆体１０６を備えている。
口枠１０３は、図５に示すように、略環状の枠部１３１と、左右一対の棒状の上側把手１３２，１３２とを備えており、枠部１３１は、左右一対の上側通気部１３３，１３３を有している。上側把手１３２は、枠部１３１の左右上端面から上方へ湾出するように設けられているため、上側把手は、左右に張り出して嵩張ることがない。
【００２５】
上側通気部１３３，１３３は、上側把手１３２，１３２の下側に隣接して設けられた楕円形の貫通孔で、上側把手１３２，１３２を握る際の指入れ部を兼ねるよう構成されている。尚、図５中、符号１３４は、仕切り部材を表している。
【００２６】
口枠被覆帯１０５は、図４（ａ）に示すように、左右の上端部に下側へ湾状に切れ込む一対の切れ込み部１０５ａ，１０５ａを有しており、上側通気部１３３，１３３を塞がないように構成されている。また、フード１１０は、図４（ｂ）に示すように、バッグ本体１０２に蓋をした状態において、左右両側の下端に、上側通気部１３３，１３３に連通する一対の貫通孔１１０ａ，１１０ａを有しており、上側通気部１３３，１３３を覆わないように構成されている。これにより、上側把手１３２，１３２は、貫通孔１１０ａ，１１０ａの上端部に覆われてフード１１０の内側に隠れるが、フード１１０を閉じた状態でも、上側通気部１３３，１３３に指を入れることにより、上側把手１３２，１３２を握ることができる。また、キャディバッグ１０１は、上側通気部１３３，１３３を通してバッグ本体１０２内部の換気を行うことができる。
【００２７】
第２実施形態においてボトム４は、第１実施形態と共通する。ボトム被覆体１０６は、図４に示すように、第１実施形態のボトム被覆体６と異なり、ボトム４の下側通気部４５および下側把手４２より上側の部分のみを被覆するよう設けられる。
【００２８】
（第３実施形態）
図６は、本発明の第３実施形態に係るキャディバッグ２０１を示している。第３実施形態は、第１実施形態の上側把手３２及び下側把手４２をそれぞれ別形状の上側把手２３２及び下側把手２４２に変更したものであるため、第３実施形態においては、上側把手２３２と下側把手２４２以外の部分については、第１実施形態と共通の符号を用いることとする。
【００２９】
第３実施形態の上側把手２３２は、図７（ａ）及び（ｂ）に示すように、ドーム状をなし、口枠３に設けられる台形状の上側通気部３３の上端部を庇状に覆うように構成されている。
【００３０】
下側把手２４２は、図６（ａ）及び（ｂ）に示すように、上側把手２３２と同形状のドーム型を有し、ボトム４に設けられた長孔状の下側通気部４５の略上半分を庇状に覆うように構成されている。
【００３１】
第３実施形態においても、上側通気部３３及び下側通気部４５が、それぞれ上側把手２３２及び下側把手２４２を握る際に指が枠部３１やボトム４の側壁４１に当たることを防止するための指入れ部を兼ねている。こうすることで、上側把手２３２及び下側把手２４２が、左右に張出すことを抑制できる。
また、上側把手２３２及び下側把手２４２がドーム状をなし、上側通気部３３及び下側通気部４５の上端部を覆うように構成されているため、雨や埃がバッグ本体２内に侵入することを抑制することができる。
【００３２】
本発明のキャディバッグは上記の実施形態に限られるものではなく、例えば、第１実施形態又は第３実施形態において、ボトム被覆体１０６を用いることができるし、第２実施形態において、ボトム被覆体６を用いることもできる。第１実施形態及び第２実施形態において上側把手及び下側把手は、一端のみ枠部に固定するようにしてもよい。第１実施形態及び第２実施形態において下側把手をドーム状の把手としてもよいし、第３実施形態において下側把手を棒状の把手にすることもできる。また、本発明の趣旨の範囲内であれば、上記の実施形態以外の形状を有する把手を用いることが可能である。
【産業上の利用可能性】
【００３３】
本発明のキャディバッグは、口枠に設けられる把手が左右に張出すことが少なく、バッグ本体内部のカビや悪臭の発生を抑制できるため、各種のキャディバッグに好適に採用できる。
【符号の説明】
【００３４】
１，１０１，２０１  キャディバッグ
２，１０２  バッグ本体
３，１０３  口枠
４  ボトム
５，１０５  口枠被覆帯
６，１０６  ボトム被覆帯
７  本体カバー
８  ハンガーグリップ
９  フロントポケット
１０  フード
３１，１３１  枠部
３２，１３２，２３２  上側把手
３３，１３３  上側通気部
４１  側壁
４２，２４２  下側把手
４５  下側通気部
【図１】
2013123571.tif 000003
【図２】
2013123571.tif 000004
【図３】
2013123571.tif 000005
【図４】
2013123571.tif 000006
【図５】
2013123571.tif 000007
【図６】
2013123571.tif 000008
【図７】
2013123571.tif 000009